(57)【特許請求の範囲】
【請求項１】
架台の水平部材に載せたトラフの両側において該水平部材に固定して該トラフを該水平部材に固定する振れ止め金具において、
架台の水平部材に固定する締付けボルトを挿通する挿通穴を備えた取付け板部と、
この取付け板部の一端から上方へ直角よりも僅かに取付け板部の反対側に傾いて延設された傾斜板部と、
この傾斜板部の上端から取付け板部の反対側に直角に延設されたトラフの側板の上端の折曲げ縁部の幅より僅かに幅が広い押圧板部と、
この押圧板部の先端から下方へ直角に延設された係止片とから成り、
前記取付け板部の前記傾斜板部側の端部の下面と前記押圧板部の前記傾斜板部側の端部の下面間の前記傾斜板部と平行な距離が、前記トラフの底板の下面とトラフの折曲げ縁部の上面間の側板に平行な距離より僅かに小に設定され、
前記押圧板部をトラフの折曲げ縁部に上側から被せ前記係止片で折曲げ縁部の先端を係止させた状態で、前記挿通穴に軸部を挿通した締付けボルトを締付けて前記取付け板部を架台の水平部に締付け固定する際の前記トラフの両側板の外側への開きを、前記傾斜板部の上部で押圧して抑止するようにしたことを特徴とする振れ止め金具。
【発明の詳細な説明】
【０００１】
【発明の属する技術分野】
本発明はカバー付きのトラフの両側板を外側から支持する振れ止め金具に関する。
【０００２】
【従来の技術】
例えばビルディングの屋上などに電気ケーブルやパイプなどを配線・配管するために鋼製のトラフが用いられている。
【０００３】
即ち、図６に示すように複数の架台１を間隙をおいて屋上床に設置し、この複数の架台１の上にトラフ２を載置する。
【０００４】
トラフ２は底板２１と両側板２２、２３から成る上面が開口した断面コ字状であって、両側板２２、２３の上端には内側に直角に折曲げられた折曲げ縁部２４、２５が設けられている。折曲げ縁部２４、２５にはカバー３を取付けるためにボルト４を挿通するための挿通穴２６、２７が一定間隔で設けられている。
【０００５】
トラフ２の底板２１には、電気ケーブルの発熱による熱を逃がすため多数の小穴（図示せず）が設けられている。
【０００６】
そして、トラフ２の両側板２２、２３を外側から固定支持するために２個の振れ止め金具５、５を各架台１の水平部材１１に固定する。
【０００７】
この種の従来の振れ止め金具５は、図６〜８に示すように，帯板状の金属板を折曲げ加工したものであって、架台の水平部材１１に固定する締付けボルト６を挿通する挿通穴５１ａを備えた取付け板部５１と、この取付け板部５１の一端から上方に直角に延設された垂直板部５２と、この垂直板部５２の上端から取付け板部５１の反対側に直角に延設されたトラフ２の折曲げ縁部２４、２５の幅より僅かに幅が広い水平板部５３と、この水平板部５３の先端から下方へ直角に延設された係止片５４とで構成されていて、上端の水平板部５３をトラフ２の折曲げ縁部２４、２５に上側から被せ、先端の係止片５４で折曲げ縁部２４、２５の先端を係止させた状態で、締付けボルト６を締付けて取付け板部５１を架台１の水平部材１１に固定する。
【０００８】
架台１は、図６〜図８に示すように例えば開口部に内側へ傾斜して折曲げられた傾斜縁部１５、１５を備えた溝形鋼から成る１本の水平部材１１と２本の垂直部材１１を、エルボー材１３で直角に連結したものである。
【０００９】
この水平部材１１の開口部の２つの傾斜縁部１５、１５の間から下側に図７、図８に示すように板ナット７をいれて、取付け板部５１の挿通穴５１ａから挿通した締付けボルト６の軸部の先端を前記板ナット７のネジ穴に螺着し、締付けボルト６を回転させて、締付けボルト６の頭部の裏面と板ナット７との間で取付け板部５１と２つの傾斜縁部１５、１５の先端とを挟持させて締付けることによって、トラフ２を両側から２つの振れ止め金具５、５によって架台１の水平部材１１に固定している。
【００１０】
この固定において，トラフ２がガタツキなく、また長手方向へずれたりすることなく堅固に固定されるように、振れ止め金具５の水平板部５３でトラフ２の折曲げ縁部２４、２５を強く上側から押圧するために、振れ止め金具５の高さ（取付け板部５１の下面と水平板部５３の下面間の垂直板部５２に平行な距離）は、トラフの高さ（底板２１の下面と折曲げ縁部２４、２５の上面間の側板２２、２３に平行な距離）より僅かに小に設定されている。
【００１１】
前記振れ止め金具５の高さは、前記トラフ２の高さより例えば１ｍｍ低く設定されていて、トラフの高さが２００ｍｍの場合には、１９９ｍｍに設定されている。
【００１２】
そして、トラフ２内に沿って電気ケーブル、パイプなどを配線・配管して、トラフ２の上部にカバー３を取付ける。
【００１３】
カバー３は、図６に示すように，幅方向の中央の稜線３１を境界線にした幅方向の両側に下り勾配の傾斜板３２、３３と、この傾斜板３２、３３の幅方向の各先端から互いに平行に鉛直下方に延設された縁板３４、３５とを備えている。
【００１４】
傾斜板３２、３３の幅方向の先端部近傍には、トラフ２の折曲げ縁部２４、２５の各挿通穴２６、２７に対応してボルト４を挿通するための挿通穴３４、３５が設けられている。
【００１５】
カバー３を取付けるには、図６に示すようにトラフ２の折曲げ縁部２４、２５の下側から挿通穴２６、２７にボルト４の軸部を挿通し、折曲げ縁部２６、２７の上側からこのボルト４の軸部のネジ面にフランジナット３６を螺着して折曲げ縁部２６、２７の上面に締付け、カバー３の傾斜板３２、３３の下側から挿通穴３４、３５にボルト４の軸部を挿通し、傾斜板３２、３３の上側からワッシャー３７を通して袋ナット３８を螺着して傾斜板３２、３３の上面に締付ける。
【００１６】
このようにフランジナット３６を間に介してトラフ２の折曲げ縁部２４、２５と傾斜板３２、３３の間に間隙を作るのは、振れ止め金具５の水平板部５３の存在のため及び折曲げ縁部２４、２５と傾斜板３２、３３の間から、電気ケーブルなどの発熱による熱を逃がすためである。
【００１７】
この熱を逃がすため及び寸法精度のバラツキを吸収するため、カバー３の横幅（２つの縁板３４、３５の内面間の距離）はトラフの横幅（２つの側板２２、２３の外面間の距離）より僅かに大に設定されている。前記カバー３の横幅は前記トラフの横幅より例えば８ｍｍ広く設定されていて、トラフの横幅が６００ｍｍの場合には６０８ｍｍに設定されている。
【００１８】
【発明が解決しようとする課題】
しかして、トラフ２の両側を２つの振れ止め金具５、５でトラフ２がガタツキなく長手方向へずれたりすることなく堅固に固定されるようにするためには、振れ止め金具５の取付け板５１を締付けボルト６で架台１の水平部材１１に強く締付けることによって、振れ止め金具５の水平板部５３でトラフ２の折曲げ縁部２４、２５を強く上側から押圧する必要がある。
【００１９】
しかしながら、このように取付け板５１を締付けボルト６で架台１の水平部材１１に強く締付けると、振れ止め金具５、５の高さがトラフ２の側板２２、２３の高さより僅かに小であることから、図８に示すようにトラフ２の左右両側で側板２２、２３の折曲げ縁部２４、２５を振れ止め金具５、５の水平板部５３、５３を下方へ強く押圧することになり、上面開口部が左右に開くように両側板２２、２３が外側へ引っ張られる。
【００２０】
このためトラフ２の開口部が外側へ開いて、両側の折曲げ縁部２４、２５の挿通穴２６、２７がカバー３の傾斜板３２、３３の挿通穴３４、３５より外側にずれてしまう。
このため、カバー３の固定作業の際に、側板２２、２３を内側へ強く押し込みながらボルト４の挿通を行わなければならないため、カバー３の取付け作業が極めて煩雑となり，多大な時間を要していた。
【００２１】
本発明はこのような問題を解決し、カバーの取付けが困難にならないようにした振れ止め金具を提供することを目的としている。
【００２２】
【課題を解決するための手段】
前記目的を達成するために、本発明の振れ止め金具では、
架台の水平部材に載せたトラフの両側において該水平部材に固定して該トラフを該水平部材に固定する振れ止め金具において、
架台の水平部材に固定する締付けボルトを挿通する挿通穴を備えた取付け板部と、
この取付け板部の一端から上方へ直角よりも僅かに取付け板部の反対側に傾いて延設された傾斜板部と、
この傾斜板部の上端から取付け板部の反対側に直角に延設されたトラフの側板の上端の折曲げ縁部の幅より僅かに幅が広い押圧板部と、
この押圧板部の先端から下方へ直角に延設された係止片とから成り、
前記取付け板部の前記傾斜板部側の端部の下面と前記押圧板部の前記傾斜板部側の端部の下面間の前記傾斜板部と平行な距離が、前記トラフの底板の下面とトラフの折曲げ縁部の上面間の側板に平行な距離より僅かに小に設定され、
前記押圧板部をトラフの折曲げ縁部に上側から被せ前記係止片で折曲げ縁部の先端を係止させた状態で、前記挿通穴に軸部を挿通した締付けボルトを締付けて前記取付け板部を架台の水平部に締付け固定する際の前記トラフの両側板の外側への開きを、前記傾斜板部の上部で押圧して抑止するようにしている。
【００２３】
このようにしたため、締付けボルトを強く締付けても、外側へ開こうとするトラフの両側板の上部が両側の傾斜板部上部で内側へ押さえ込まれて、両側板が外側へ開くことがなくなり、トラフの開口部が外側へ開かないため、開口部の両側の折曲げ縁部の挿通穴がカバーの傾斜板の挿通穴より外側にずれてしまうことがなくなる。
【００２４】
このため、カバーの固定作業の際に側板を内側へ強く押し込む必要がなくなり、カバーの取付け作業が極めて簡単となり作業時間を著しく短縮することができる。
【００２５】
【発明の実施の形態】
以下、図面に基づいて本発明の一実施形態を説明する。
【００２６】
図２〜５に示すように、この振れ止め金具８０は帯板状の金属板を折り曲げ加工したものであって、架台１の水平部材１１に固定する締付けボルト６を挿通するための挿通穴８１ａを備えた取付け板部８１と、この取付け板部８１の一端から上方へ直角よりも僅かに（例えば５°）取付け板部８１の反対側に傾いて延設された傾斜板部８２と、この傾斜板部８２の上端から取付け板部８１の反対側に直角に延設されたトラフ２の折曲げ縁部２４、２５の幅より僅かに幅が広い押圧板部８３と、この押圧板部８３の先端から下方へ直角に延設された係止片８４とで構成されている。
【００２７】
そして、図６〜８で示した場合と同様に、上端の押圧板部８３をトラフ２の折曲げ縁部２４、２５に上側から被せ，先端の係止片８４で折曲げ縁部２４、２５の先端を係止させた状態で、図７で示したのと同様に板ナット７を用いて締付けボルト６を締付けて取付け板部８１を架台１の水平部材１１に固定する。このようにして、トラフ２を両側から２つの振れ止め金具８０、８０で架台１に固定する。
【００２８】
この固定において、トラフ２がガタツキなく、また長手方向へずれたりすることなく固定されるように、振れ止め金具８０の押圧板部８３でトラフ２の折曲げ縁部２４、２５を強く上側から押圧するために、傾斜板部８２の長さＬ（取付け板部８１の左端の下面と押圧板部８３の右端の下面間の傾斜板部８２と平行な距離）はトラフ２の高さ（底板２１の下面と折曲げ縁部２４、２５の上面間の側板２２、２３に平行な距離）より僅かに小に設定されている。
【００２９】
前記傾斜板部８２の長さは前記トラフ２の高さより例えば１ｍｍ低く設定されていて、トラフの高さが２００ｍｍの場合には、１９９ｍｍに設定されている。
【００３０】
この振れ止め金具８０はこのような構造であるから、図１に示すように振れ止め金具８０の上端の押圧板部８３をトラフ２の折曲げ縁部２４、２５に上側から被せて先端の係止片５４で折曲げ縁部２４、２５の先端を係止させた状態にし、架台１の水平部材１１の開口部の２つの傾斜縁部１５、１５の間から下側に図７、図８の場合と同様に板ナット７をいれて、振れ止め金具８０の取付け板部８１の挿通穴８１ａから挿通した締付けボルト６の軸部の先端を前記板ナット７のネジ穴に螺着して、締付けボルト６の頭部の裏面と板ナット７との間で取付け板部８１と２つの傾斜縁部１５、１５の先端とを挟持させて締付けることによって、トラフ２を両側から２つの振れ止め金具８０、８０によって架台１の水平部材１１に固定する。
【００３１】
しかして、トラフ２の両側を２つの振れ止め金具８０、８０でトラフ２がガタツキなく長手方向へずれたりすることなく堅固に固定されるようにするためには、前記したように振れ止め金具８０の取付け板部８１を締付けボルト６で架台１の水平部材１１に強く締付けることによって、振れ止め金具８０、８０の押圧板部８３、８３でトラフ２の折曲げ縁部２４、２５を強く上側から押圧する必要があるが、このように左右２つの取付け板部８１、８１を締付けボルト６、６で架台１の水平部材１１に強く締付けると、振れ止め金具８０、８０の高さがトラフ２の側板２２、２３の高さより僅かに小であるため、トラフ２の左右両側で側板２２、２３の折曲げ縁部２４、２５を振れ止め金具８０、８０の押圧板部８３、８３で下方へ一層強く押圧することになり、図８で示したように上面開口部が左右に開くように両側板２２、２３が外側へ開こうとするが、図１に示すように本発明の振れ止め金具８０では、傾斜板部８２が取付け板部８１に対して直角よりも僅かに（例えば５°）取付け板部８１の反対側へ傾いているため、外側へ開こうとする側板２２、２３の上部を、図１に示すようにこの両側の傾斜板部８２、８２の上部が内側へ押さえ込む。
【００３２】
従って、図８のように両側板２２、２３が外側へ開くことがなくなり、図１のように両側板２２、２３の上部が外側へ開かないため、トラフ２の開口部の両側の折曲げ縁部２４、２５の挿通穴２６、２７がカバー３の傾斜板３２、３３の挿通穴３４、３５より外側にずれてしまうことがなくなる。
【００３３】
このため、カバー３の固定作業の際に側板２２、２３を内側へ強く押し込む必要がなくなり、カバー３の取付け作業が極めて簡単となり作業時間を著しく短縮することができる。
【００３４】
【発明の効果】
以上のように本発明の振れ止め金具は構成されているので、締付けボルト６を強く締付けても、外側へ開こうとするトラフ２の両側板２２、２３の上部が両側の傾斜板部８２、８２の上部で内側へ押さえ込まれて、両側板２２、２３が外側へ開くことがなくなり、トラフ２の開口部が外側へ開かないため、開口部の両側の折曲げ縁部２４、２５の挿通穴２６、２７がカバー３の傾斜板３２，３３の挿通穴３４、３５より外側にずれてしまうことがなくなる。
【００３５】
このため、カバー３の取り付け作業の際に側板２２、２３を内側へ強く押し込む必要がなくなり、カバー３の取付け作業が極めて簡単となり作業時間を著しく短縮することができる。
【図面の簡単な説明】
【図１】本発明の一実施形態の使用状態を示す断面図
【図２】本発明の一実施形態を示す正面図
【図３】同実施形態の左側面図
【図４】同実施形態の底面図
【図５】図３におけるＡ−Ａ線断面図
【図６】トラフの架台への設置及びカバーの取付けを示す斜視図
【図７】図８におけるＢ−Ｂ線断面図
【図８】従来の振れ止め金具によるトラフの固定状態を示す断面図
【符号の説明】
１  架台、
２  トラフ
３  カバー
１１  水平部材
２２、２３  側板
２４、２５  折曲げ縁部
２６、２７  挿通穴
３４、３５  挿通穴
８０  振れ止め金具
８１  取付け板部
８２  傾斜板部
８３  押圧板部
８４  係止片
【図１】
0003720031.tif 000002
【図２】
0003720031.tif 000003
【図３】
0003720031.tif 000004
【図４】
0003720031.tif 000005
【図５】
0003720031.tif 000006
【図６】
0003720031.tif 000007
【図７】
0003720031.tif 000008
【図８】
0003720031.tif 000009